【手続補正書】
【提出日】平成22年7月12日(2010.7.12)
【手続補正１】
【補正対象書類名】特許請求の範囲
【補正対象項目名】全文
【補正方法】変更
【補正の内容】
【特許請求の範囲】
【請求項１】
表示手段と、
複数の画像、及び前記複数の画像それぞれの画像識別情報を記録する記録手段と、
前記記録手段に記録された前記複数の画像のうちアルバム設定情報に基づいて関連付けられた所定の画像を含むアルバムを前記表示手段に表示させるアルバム表示制御手段と、
表示された前記アルバムが選択されると、選択された該アルバムに対応する前記アルバム設定情報を有する集合写真を前記表示手段に表示させる集合写真表示制御手段と、
前記集合写真表示制御手段によって表示された前記集合写真において、顔画像を顔画像枠で囲って表示させる顔画像枠表示制御手段と、
前記顔画像枠が選択されたとき、選択された該顔画像枠に対応する顔画像と関連する画像を一覧として前記表示手段に表示させる画像一覧表示制御手段と、を備える画像表示装置。
【請求項２】
請求項１に記載の画像表示装置であって、
前記画像一覧表示制御手段は、前記顔画像枠が複数選択されたとき、選択された該顔画像枠ごとに対応する顔画像と関連する画像を抽出し、抽出された画像のうち共通する画像を一覧として表示する画像表示装置。
【請求項３】
請求項１又は２に記載の画像表示装置であって、
前記顔画像枠表示制御手段は、前記顔画像とともに該顔画像に関連する画像の枚数を表示する画像表示装置。
【請求項４】
請求項３に記載の画像表示装置であって、
前記画像の枚数を変更する編集手段を有する画像表示装置。
【請求項５】
請求項４に記載の画像表示装置であって、
前記顔画像を含む画像をお勧め度に基づいて前記編集手段により指定された枚数まで抽出する画像抽出手段を有する画像表示装置。
【請求項６】
請求項１から５のいずれか１項に記載の画像表示装置であって、
前記複数の画像から所定の画像を集合写真に設定する集合写真設定手段と、
設定された前記集合写真から顔画像を検出する顔画像検出手段と、
前記記録手段に記録された前記複数の画像から、前記顔画像検出手段によって検出された顔画像を含む画像を抽出する画像抽出手段と、
前記画像抽出手段によって抽出された画像の画像識別情報をファイルに記録するアルバム設定手段と、を有する画像表示装置。
【請求項７】
請求項１から６のいずれか１項に記載の画像表示装置であって、  
前記顔画像枠が選択されたとき、選択された該顔画像枠に対応する顔画像が含まれる他の画像を前記表示手段に一覧として表示する画像表示装置。
【請求項８】
請求項１から７のいずれか１項に記載の画像表示装置であって、
前記集合写真を設定する際に、前記複数の画像のうち正面を向いた顔画像が一番多く写っている画像を前記集合写真に設定する画像表示装置。
【請求項９】
請求項１から８のいずれか１項に記載の画像表示装置であって、
前記画像識別情報が前記画像のファイルパスである画像表示装置。
【請求項１０】
請求項１から９のいずれか１項に記載の画像表示装置であって、
顔画像枠表示制御手段は、前記顔画像枠を座標情報に基づいて設定する画像表示装置。
【請求項１１】
請求項１から１０のいずか１項に記載の画像表示装置を備えた撮像装置。
【請求項１２】
表示手段に画像を表示するステップと、
複数の画像、及び前記複数の画像それぞれの画像識別情報を記録する記録手段と、
前記記録手段に記録された前記複数の画像のうちアルバム設定情報に基づいて関連付けられた所定の画像を含むアルバムを前記表示手段に表示させるステップと、
表示された前記アルバムが選択されると、選択された該アルバムに対応する前記アルバム設定情報を有する集合写真を前記表示手段に表示させるステップと、
前記集合写真表示制御手段によって表示された前記集合写真において、顔画像を顔画像枠で囲って表示させるステップと、
前記顔画像枠が選択されたとき、選択された該顔画像枠に対応する顔画像と関連する画像を一覧として前記表示手段に表示させるステップと、を含む画像表示方法。
【請求項１３】
請求項１２に記載の画像表示方法であって、
前記顔画像枠が複数選択されたとき、選択された該顔画像枠ごとに対応する顔画像と関連する画像を抽出し、抽出された画像のうち共通する画像を一覧として表示する画像表示方法。
【請求項１４】
請求項１２又は１３に記載の画像表示方法であって、
前記顔画像とともに該顔画像に関連する画像の枚数を表示する画像表示方法。
【請求項１５】
請求項１４に記載の画像表示方法であって、
前記画像の枚数を変更する編集手段を有する画像表示方法。
【請求項１６】
請求項１５に記載の画像表示方法であって、
前記顔画像を含む画像をお勧め度に基づいて前記編集手段により指定された枚数まで抽出する画像表示方法。
【請求項１７】
請求項１２から１６のいずれか１項に記載の画像表示方法であって、
前記複数の画像から所定の画像を集合写真に設定するステップと、
設定された前記集合写真から顔画像を検出するステップと、
記録された前記複数の画像から、検出された顔画像を含む画像を抽出するステップと、
抽出された画像の画像識別情報をファイルに記録するステップと、を含む画像表示方法。
【請求項１８】
請求項１３から１７のいずれか１項に記載の画像表示方法であって、  
前記顔画像枠が選択されたとき、選択された該顔画像枠に対応する顔画像が含まれる他の画像を前記表示手段に一覧として表示する画像表示方法。
【請求項１９】
請求項１３から１８のいずれか１項に記載の画像表示方法であって、
前記集合写真を設定する際に、前記複数の画像のうち正面を向いた顔画像が一番多く写っている画像を前記集合写真に設定する画像表示方法。
【請求項２０】
請求項１３から１９のいずれか１項に記載の画像表示方法であって、
前記画像識別情報が前記画像のファイルパスである画像表示方法。
【請求項２１】
請求項１３から２０のいずれか１項に記載の画像表示方法であって、
前記顔画像枠を座標情報に基づいて設定する画像表示方法。
【請求項２２】
表示手段に画像を表示するステップと、
複数の画像、及び前記複数の画像それぞれの画像識別情報を記録する記録手段と、
前記記録手段に記録された前記複数の画像のうちアルバム設定情報に基づいて関連付けられた所定の画像を含むアルバムを前記表示手段に表示させるステップと、
表示された前記アルバムが選択されると、選択された該アルバムに対応する前記アルバム設定情報を有する集合写真を前記表示手段に表示させるステップと、
前記集合写真表示制御手段によって表示された前記集合写真において、顔画像を顔画像枠で囲って表示させるステップと、
前記顔画像枠が選択されたとき、選択された該顔画像枠に対応する顔画像と関連する画像を一覧として前記表示手段に表示させるステップと、を含むプログラム。
【手続補正２】
【補正対象書類名】明細書
【補正対象項目名】００１２
【補正方法】変更
【補正の内容】
【００１２】
（１）表示手段と、
複数の画像、及び前記複数の画像それぞれの画像識別情報を記録する記録手段と、
前記記録手段に記録された前記複数の画像のうちアルバム設定情報に基づいて関連付けられた所定の画像を含むアルバムを前記表示手段に表示させるアルバム表示制御手段と、
表示された前記アルバムが選択されると、選択された該アルバムに対応する前記アルバム設定情報を有する集合写真を前記表示手段に表示させる集合写真表示制御手段と、
前記集合写真表示制御手段によって表示された前記集合写真において、顔画像を顔画像枠で囲って表示させる顔画像枠表示制御手段と、
前記顔画像枠が選択されたとき、選択された該顔画像枠に対応する顔画像と関連する画像を一覧として前記表示手段に表示させる画像一覧表示制御手段と、を備える画像表示装置。
（２）（１）に記載の画像表示装置であって、
前記画像一覧表示制御手段は、前記顔画像枠が複数選択されたとき、選択された該顔画像枠ごとに対応する顔画像と関連する画像を抽出し、抽出された画像のうち共通する画像を一覧として表示する画像表示装置。
（３）（１）又は（２）に記載の画像表示装置であって、
前記顔画像枠表示制御手段は、前記顔画像とともに該顔画像に関連する画像の枚数を表示する画像表示装置。
（４）（３）に記載の画像表示装置であって、
前記画像の枚数を変更する編集手段を有する画像表示装置。
（５）（４）に記載の画像表示装置であって、
前記顔画像を含む画像をお勧め度に基づいて前記編集手段により指定された枚数まで抽出する画像抽出手段を有する画像表示装置。
（６）（１）から（５）のいずれか１つに記載の画像表示装置であって、
前記複数の画像から所定の画像を集合写真に設定する集合写真設定手段と、
設定された前記集合写真から顔画像を検出する顔画像検出手段と、
前記記録手段に記録された前記複数の画像から、前記顔画像検出手段によって検出された顔画像を含む画像を抽出する画像抽出手段と、
前記画像抽出手段によって抽出された画像の画像識別情報をファイルに記録するアルバム設定手段と、を有する画像表示装置。
（７）（１）から（６）のいずれか１つに記載の画像表示装置であって、  
前記顔画像枠が選択されたとき、選択された該顔画像枠に対応する顔画像が含まれる他の画像を前記表示手段に一覧として表示する画像表示装置。
（８）（１）から（７）のいずれか１つに記載の画像表示装置であって、
前記集合写真を設定する際に、前記複数の画像のうち正面を向いた顔画像が一番多く写っている画像を前記集合写真に設定する画像表示装置。
（９）（１）から（８）のいずれか１つに記載の画像表示装置であって、
前記画像識別情報が前記画像のファイルパスである画像表示装置。
（１０）（１）から（９）のいずれか１つに記載の画像表示装置であって、
顔画像枠表示制御手段は、前記顔画像枠を座標情報に基づいて設定する画像表示装置。
（１１）（１）から（１０）のいずか１つに記載の画像表示装置を備えた撮像装置。
（１２）表示手段に画像を表示するステップと、
複数の画像、及び前記複数の画像それぞれの画像識別情報を記録する記録手段と、
前記記録手段に記録された前記複数の画像のうちアルバム設定情報に基づいて関連付けられた所定の画像を含むアルバムを前記表示手段に表示させるステップと、
表示された前記アルバムが選択されると、選択された該アルバムに対応する前記アルバム設定情報を有する集合写真を前記表示手段に表示させるステップと、
前記集合写真表示制御手段によって表示された前記集合写真において、顔画像を顔画像枠で囲って表示させるステップと、
前記顔画像枠が選択されたとき、選択された該顔画像枠に対応する顔画像と関連する画像を一覧として前記表示手段に表示させるステップと、を含む画像表示方法。
（１３）（１２）に記載の画像表示方法であって、
前記顔画像枠が複数選択されたとき、選択された該顔画像枠ごとに対応する顔画像と関連する画像を抽出し、抽出された画像のうち共通する画像を一覧として表示する画像表示方法。
（１４）（１２）又は（１３）に記載の画像表示方法であって、
前記顔画像とともに該顔画像に関連する画像の枚数を表示する画像表示方法。
（１５）（１４）に記載の画像表示方法であって、
前記画像の枚数を変更する編集手段を有する画像表示方法。
（１６）（１５）に記載の画像表示方法であって、
前記顔画像を含む画像をお勧め度に基づいて前記編集手段により指定された枚数まで抽出する画像表示方法。
（１７）（１２）から（１６）のいずれか１つに記載の画像表示方法であって、
前記複数の画像から所定の画像を集合写真に設定するステップと、
設定された前記集合写真から顔画像を検出するステップと、
記録された前記複数の画像から、検出された顔画像を含む画像を抽出するステップと、
抽出された画像の画像識別情報をファイルに記録するステップと、を含む画像表示方法。
（１８）（１３）から（１７）のいずれか１つに記載の画像表示方法であって、  
前記顔画像枠が選択されたとき、選択された該顔画像枠に対応する顔画像が含まれる他の画像を前記表示手段に一覧として表示する画像表示方法。
（１９）（１３）から（１８）のいずれか１つに記載の画像表示方法であって、
前記集合写真を設定する際に、前記複数の画像のうち正面を向いた顔画像が一番多く写っている画像を前記集合写真に設定する画像表示方法。
（２０）（１３）から（１９）のいずれか１つに記載の画像表示方法であって、
前記画像識別情報が前記画像のファイルパスである画像表示方法。
（２１）（１３）から（２０）のいずれか１つに記載の画像表示方法であって、
前記顔画像枠を座標情報に基づいて設定する画像表示方法。
（２２）表示手段に画像を表示するステップと、
複数の画像、及び前記複数の画像それぞれの画像識別情報を記録する記録手段と、
前記記録手段に記録された前記複数の画像のうちアルバム設定情報に基づいて関連付けられた所定の画像を含むアルバムを前記表示手段に表示させるステップと、
表示された前記アルバムが選択されると、選択された該アルバムに対応する前記アルバム設定情報を有する集合写真を前記表示手段に表示させるステップと、
前記集合写真表示制御手段によって表示された前記集合写真において、顔画像を顔画像枠で囲って表示させるステップと、
前記顔画像枠が選択されたとき、選択された該顔画像枠に対応する顔画像と関連する画像を一覧として前記表示手段に表示させるステップと、を含むプログラム。